(57)【要約】【課題】漏水を有する壁面に設置することができ、しかも漏水を壁面に沿って導水させるようにした。【解決手段】トンネルの壁面２ａを覆うように設置してなる剥落防止ネット３は、網目を形成して壁面２ａに沿って配置された樹脂ネット４と、網目に形成される網目空間Ｒを閉塞するようにして樹脂ネット４の壁面側の面に固着した透明シート５とを備えている。剥落防止ネット３は、剥落防止ネット３をトンネル内空側から壁面２ａに押し付ける押え板６を備え、アンカーボルト７によって押え板６を介して壁面２ａに固定されている。【選択図】図１
2007120231.tif 000002
【特許請求の範囲】
【請求項１】
構造物の壁面を覆うように設置してなる剥落防止ネットであって、
網目を形成して前記壁面に沿って配置された網部材と、
前記網目に形成される網目空間を閉塞するようにして前記網部材の壁面側の面に固着した透明シートと、
を備えていることを特徴とする剥落防止ネット。
【請求項２】
前記網部材と前記透明シートとは、前記網部材と前記透明シートとを空間側から前記壁面に押し付ける押え板を介して、アンカーボルトによって前記壁面に固定されていることを特徴とする請求項１に記載の剥落防止ネット。
【請求項３】
前記網目空間及び前記透明シートを介して前記壁面が所定位置から目視可能であることを特徴とする請求項１または２に記載の剥落防止ネット。
【請求項４】
前記壁面がレンガであるとき、前記網部材の網目寸法は少なくとも前記レンガの外形寸法よりも小さいことを特徴とする請求項１乃至３のいずれかに記載の剥落防止ネット。
【請求項５】
前記構造物がトンネルであるとき、前記網部材と前記透明シートとの設置範囲は、前記トンネルの略上半断面の壁面に設置されていることを特徴とする請求項１乃至４のいずれかに記載の剥落防止ネット。
【発明の詳細な説明】
【技術分野】
【０００１】
本発明は、トンネルなどの構造物の壁面を覆うようにして剥落を防止する剥落防止ネットに関する。
【背景技術】
【０００２】
従来、コンクリートやレンガなどによって構築されたトンネルでは、老朽化や地盤変動など様々な要因により覆工に亀裂が発生したり、壁面が部分的に剥がれ落ちることがあった。とくに、レンガのトンネルの場合は、レンガ同士を接着する目地が小さな破片となって剥落することがあるため、トンネル壁面の剥落に対する補修、防護工事が実施されている。例えば、５ｍｍ程度の網目の小さいネットをトンネル壁面に覆うようにして配置し、所定箇所でネット固定用の押え板とアンカーボルトによって壁面に固定するものがある。これによると、網目より大きな破片はネットと壁面との間で保持されて落下することがないため、安全性を確保できる。しかしながら、設置後にトンネル壁面の状態を目視しにくく、点検作業時の目視検査の支障になるという欠点があった。
また、その他の補修、防護方法として、上述の問題を解決したものが、例えば特許文献１に開示されている。
特許文献１によると、網目状に形成された樹脂基材を、トンネル壁面に対して亀裂箇所や剥落の発生箇所のある範囲に配置して透明又は半透明な接着剤をその周囲を被覆するようにトンネル壁面に接着する方法である。この方法では、補修箇所全面に接着剤が付着していることから、壁面の剥落を防止できるうえ、構造物を長期的に安定させた補修を行える。そして透明な接着剤の使用により、施工後であっても壁面の状態を目視することが可能である。
【特許文献１】特開２００１−３５５３４３号公報
【発明の開示】
【発明が解決しようとする課題】
【０００３】
しかしながら、例えばレンガトンネルの壁面の場合、亀裂が生じた目地からレンガ背面の水が浸透して漏水することが多い。このため、特許文献１では、接着剤が水の付着した壁面に付着しにくいことから、漏水を伴う補修箇所には使用できないという欠点があった。
さらに、従来あるネットや特許文献１では、漏水がその漏水箇所から直接落下したり、あるいは冬季において漏水の水滴がネットや樹脂基材につららを形成することがある。そして、例えば鉄道トンネルなどで軌条が敷設されているトンネルの場合、これらの落下する水が通電されているレールにかかると電触を起す可能性があるという問題があった。
【０００４】
本発明は、上述する問題点に鑑みてなされたもので、漏水を有する壁面に設置することができ、しかも漏水を壁面に沿って導水させるようにした剥落防止ネットを提供することを目的とする。
【課題を解決するための手段】
【０００５】
上記目的を達成するため、本発明に係る剥落防止ネットは、構造物の壁面を覆うように設置してなる剥落防止ネットであって、網目を形成して壁面に沿って配置された網部材と、網目に形成される網目空間を閉塞するようにして網部材の壁面側の面に固着した透明シートとを備えていることを特徴としている。
本発明では、網部材の網目空間が透明シートで塞がれているため、壁面から剥落する破片を落下させることなく、透明シートの壁面側で押さえておくことができる。また、壁面から漏水した水は、透明シートの壁面側を伝って例えばトンネルの天端部分で漏水した水は、その漏水箇所から直接トンネル中央部に落下することがなく、壁面に沿ってトンネル下方側面などに導水させることができる。このため、例えば鉄道トンネルの壁面に剥落防止ネットを使用する場合、通電しているレールに水がかかることがないため、電蝕作用の発生を防止できる。
【０００６】
また、本発明に係る剥落防止ネットでは、網部材と透明シートとは、網部材と透明シートとを空間側から壁面に押し付ける押え板を介して、アンカーボルトによって壁面に固定されていることが好ましい。
本発明では、アンカーボルトを壁面に打ち込むことで剥落防止ネットを壁面に固定させることができるため、壁面に漏水箇所がある場合でも設置することができる。
【０００７】
また、本発明に係る剥落防止ネットでは、網目空間及び透明シートを介して壁面が所定位置から目視可能であることが好ましい。
本発明では、網部材に形成される網目空間内の透明シートを透過して剥落防止ネットの空間側の所定位置から壁面の状態を見ることができる。このため、目視による点検作業が可能となり、点検時に透明シートを通して、壁面の亀裂、剥落、漏水など状況を確認することができる。
【０００８】
また、本発明に係る剥落防止ネットでは、壁面がレンガであるとき、網部材の網目寸法は少なくともレンガの外形寸法よりも小さいことが好ましい。
本発明では、網部材の網目寸法より大きな形状をなすレンガを網部材の骨組み部分で支えておくことができる。
【０００９】
また、本発明に係る剥落防止ネットでは、構造物がトンネルであるとき、網部材と透明シートとの設置範囲は、トンネルの略上半断面の壁面に設置されていることが好ましい。
本発明では、トンネル上方の剥落を防止できるため安全性を確保することができる、また、トンネル断面の壁面全周にわたって剥落防止ネットを設置しないことから、コストを抑えた施工ができる。
【発明の効果】
【００１０】
本発明の剥落防止ネットによれば、漏水をその漏水箇所から落下させることなく、その水を壁面に沿わせて導水することができる。このため、例えば鉄道トンネルの壁面に剥落防止ネットを使用する場合、漏水がトンネル断面の天端から下方の軌条に落ちることがなく、また、従来のように冬季にネットの各所につららが形成されるようなことがない。したがって、通電しているレールに水がかかって腐食する電蝕作用の発生を防止させることができる。
また、剥落防止ネットは、例えばアンカーボルトなどを使用して壁面に固定することができるため、壁面に漏水箇所がある場合でも設置することができる。
【発明を実施するための最良の形態】
【００１１】
以下、本発明の剥落防止ネットの実施の形態について、図１乃至図３に基づいて説明する。
図１は本発明の実施の形態による剥落防止ネットを示す平面図、図２は剥落防止ネットの設置状態を示すトンネルの断面図、図３は剥落防止ネットを示す展開図、図４は剥落防止ネットの設置状態を示す断面図である。
【００１２】
図１に示すように、本実施の形態による剥落防止ネット３は、トンネルの壁面２ａ（図２参照）を覆うように設置されている。
この剥落防止ネット３は、碁盤状に網目を形成して壁面２ａに沿って配置された樹脂製の樹脂ネット４（網部材）と、樹脂ネット４の壁面側の面４ａ（図４参照）に固着された透明シート５とからなる。
樹脂ネット４は、図１に示す網目寸法Ｄが例えば３０ｍｍ程度であり、この網目に囲われて網目空間Ｒが形成されている。透明シート５は、例えばビニール製の材質からなり、この網目空間Ｒを閉塞して、例えば熱圧着などの固着手段によって樹脂ネット４に固着されている。
剥落防止ネット３は、図２に示すようにトンネル断面形状に沿って緩やかに湾曲させることができる。
なお、この剥落防止ネット３は、設置範囲、運搬上の大きさ、製作上の都合などによって適宜必要な大きさに形成して複数を組み合わせて壁面２ａに設置することが好ましい。
【００１３】
次に、このような構成をなす剥落防止ネット３の取付け構造について図面に基づいて説明する。
先ず、本実施の形態による剥落防止ネット３は、図２に示すように、レンガ覆工２が構築された鉄道のトンネル１に設置されている。このトンネル１は、老朽化により、レンガ２０の目地２１が小さな破片で剥落したり漏水が発生したりすることで、補修、防護が必要とされている（図１参照）。そして、トンネル１の下盤中央には、枕木にレール１１を敷設した軌条１０が設けられている。軌条１０の両側の壁面沿いに側溝１２、１２が設けられ、軌条１０の地盤下に中央排水溝１４が埋設され、側溝１２、１２と中央排水溝１４とを連結する連絡孔１３がトンネル進行方向に所定間隔をもって設けられている。
【００１４】
図２に示すように、剥落防止ネット３は、トンネル１の略上半断面の壁面２ａ、すなわち矢印Ｌの周方向で、矢印Ｈの高さ方向をなす範囲の壁面２ａに沿って設置されている。ここで、剥落防止ネット３は、トンネル進行方向の設置範囲においてトンネル全線或いは部分的に設けてもよい。
【００１５】
図２及び図３に示すように、剥落防止ネット３が壁面２ａに取り付けられる構造は、トンネル断面で壁面２ａと略同形状に湾曲して形成されたチャンネル材をなす押え板６が、その外周面６ａ（図４参照）を剥落防止ネット３のトンネル内空側に当接させて設置されている。この押え板６は、その長手方向が剥落防止ネット３の周方向（矢印Ｌ）とほぼ同じ長さをなし、トンネル進行方向に所定間隔Ｍで配置されている。
そして、図４に示すように、剥落防止ネット３は、押え板６によって壁面２ａに当接するように押し付けられた状態で、アンカーボルト７によって押え板６及び剥落防止ネット３を貫通させてレンガ覆工２に打ち込ませることで固定されている。
【００１６】
図１及び図２に示すように、樹脂ネット４の網目空間Ｒが透明シート５で塞がれているため、目地２１の小さな破片やレンガ２０自体を落下させずに透明シート５の壁面側５ａで押さえておくことができる。また、樹脂ネット４の網目寸法Ｄが３０ｍｍ程度より大きな形状をなすレンガ２０の場合は、樹脂ネット４の骨組み部分で支えておくことができる。
【００１７】
また、樹脂ネット４の網目寸法Ｄが例えば従来の５ｍｍ程度の網目寸法に比べて大きいことから、透明シート５を透過して剥落防止ネット３のトンネル内空側の所定位置（例えば、下盤に立った人が目視する位置）から壁面２ａの状態を見ることができる。したがって、目視による点検作業が可能となり、その点検時に透明シート５を通して、壁面２ａの亀裂、剥落、漏水など状況を確認することができる。また、例えば、レンガ２０や目地２１が剥落した破片が透明シート５の壁面側５ａに載荷状態にある場合なども確認できる。そして、場合によっては、一端、剥落防止ネット３を取り外して、剥落箇所を修繕してから、再び剥落防止ネット３を設置するようにすることができる。
【００１８】
さらに、図２に示すように、剥落防止ネット３が壁面２ａに設けられることにより、壁面２ａから漏水した水Ｗは、透明シート５の壁面側５ａを伝ってトンネル断面の左右両側に導水され、トンネル断面下盤に設けられている側溝１２に入り、さらに側溝１２から連絡孔１３を流れて中央排水溝１４で集水されることになる。
【００１９】
上述した本実施の形態による剥落防止ネットは、アンカーボルト７を使用して壁面２ａに固定することができるため、壁面２ａに漏水箇所がある場合でも設置することができる。
また、本実施の形態による剥落防止ネットでは、漏水をその漏水箇所から落下させることなく、その水Ｗ（図３参照）を透明シート５或いは壁面２ａに沿わせて導水することができる。このため、漏水がトンネル断面の天端から下方の軌条１０に落ちることがなく、また、従来のように冬季においてネットの各所につららが形成されるようなことがない。したがって、通電しているレールに水がかかって腐食する電蝕作用の発生を防止させることができる。
【００２０】
以上、本発明による剥落防止ネットの実施の形態について説明したが、本発明は上記の実施の形態に限定されるものではなく、その趣旨を逸脱しない範囲で適宜変更可能である。
例えば、本実施の形態では図１に示すように樹脂ネット４の目地寸法Ｄを３０ｍｍとしているが、この大きさに限定されることはない。目地の大きさＤを少なくともレンガ２０の外形寸法より小さくしておけばよい。これにより、ビニール製などの材料からなる透明シート５のみでレンガ２０を支えるときにその重みで透明シート５が破れて落下してしまうことを防止できる。
また、本実施の形態ではレンガ２０積みで構築されたトンネル１に適用しているが、これに限定されることはなく、コンクリート覆工や吹付け仕上げのトンネルや、コンクリート製からなる橋梁やボックスカルバートトンネルなどの構造物などに適用してもかまわない。
また、剥落防止ネット３の設置範囲は、剥落防止ネット３の設置の主目的が剥落防止と漏水の導水であることから、本実施の形態のようにトンネル１の略上半断面の壁面に設置することが効果的かつ経済的であるが、場合によっては、トンネル断面の壁面全周にわたって剥落防止ネット３を設置してもよい。また例えば、漏水や亀裂などが少ない場合には、トンネル天端の範囲のみに設置してもよい。要はトンネル条件に合わせて適宜設置範囲を設定すればよい。
さらに、本実施の形態では押え板６をトンネル断面の周方向に連続して配置されているが、これに限定されることはなく、例えば周方向で部分的な範囲に配置されるものでもよい。要は、設置する剥落防止ネット３が壁面２ａから垂れ下がるようなことがないように押え板６を介してアンカーボルト７で固定できればよく、またアンカーボルト７のみで固定するようにしてもかまわない。
【図面の簡単な説明】
【００２１】
【図１】本発明の実施の形態による剥落防止ネットを示す平面図である。
【図２】剥落防止ネットの設置状態を示すトンネルの断面図である。
【図３】剥落防止ネットを示す展開図である。
【図４】剥落防止ネットの設置状態を示す断面図である。
【符号の説明】
【００２２】
１  トンネル
２  レンガ覆工
２ａ  壁面
３  剥落防止ネット
４  樹脂ネット（網部材）
５  透明シート
６  押え板
７  アンカーボルト
１０  軌条
１１  レール
２０  レンガ
２１  目地
Ｒ  網目空間
【図１】
2007120231.tif 000003
【図２】
2007120231.tif 000004
【図３】
2007120231.tif 000005
【図４】
2007120231.tif 000006